(57)【要約】【課題】フレキシブルデバイスを提供する。【解決手段】フレキシブルデバイスは、機能部品及び変形サポートアセンブリを備え、機能部品は変形サポートアセンブリの外側に設置されており、変形サポートアセンブリの内側は、フレキシブルデバイスが湾曲変形した時に外部装置に装着するために用いられる。変形可能な可撓性構成要素を使用するので、フレキシブルデバイスは変形に追従して、異なる場合の応用需要を満たすことができる。【選択図】図７
2020507795.tif 000002
【特許請求の範囲】
【請求項１】
機能部品及び変形サポートアセンブリを備えるフレキシブルデバイスであって、前記機能部品は前記変形サポートアセンブリの外側に設置されており、前記変形サポートアセンブリの内側は、前記フレキシブルデバイスが湾曲変形した時に外部装置に装着するために用いられることを特徴とするフレキシブルデバイス。
【請求項２】
前記変形サポートアセンブリは複数の回転ユニットを備え、隣接する前記回転ユニットは順次に回転可能に接続されることを特徴とする請求項１に記載のフレキシブルデバイス。
【請求項３】
前記変形サポートアセンブリは少なくとも１つの接続部材をさらに備え、前記接続部材は２つの前記回転ユニットの間に回転可能に接続されており、前記変形サポートアセンブリの外側では、前記接続部材の表面積はいずれか１つの前記回転ユニットの表面積よりも大きいことを特徴とする請求項２に記載のフレキシブルデバイス。
【請求項４】
前記変形サポートアセンブリは２つの移動部材をさらに備え、２つの前記移動部材は、複数の回転ユニットの先端部及び終端部に回転可能に接続されており、前記変形サポートアセンブリの外側では、前記移動部材の表面積はいずれか１つの前記回転ユニットの表面積よりも大きいことを特徴とする請求項３に記載のフレキシブルデバイス。
【請求項５】
前記変形サポートアセンブリは複数のダンピングフィンをさらに備え、各ダンピングフィンは、前記回転ユニットと前記接続部材との間及び／又は前記回転ユニットと少なくとも１つの前記移動部材との間に挟まれて、前記フレキシブルデバイスが湾曲変形するときに位置決めるために用いられることを特徴とする請求項４に記載のフレキシブルデバイス。
【請求項６】
前記ダンピングフィンは、隣接する前記回転ユニットの回転アームと回転台座の溝との間に挟まれることを特徴とする請求項５に記載のフレキシブルデバイス。
【請求項７】
各々の前記回転ユニットは、基板と、前記基板から外側に延在される支持台座と、を備え、前記支持台座は回転アーム及び回転台座を備え、前記回転アームは隣接する前記回転ユニットの支持台座の回転台座にスリーブされることを特徴とする請求項２〜６のいずれか一項に記載のフレキシブルデバイス。
【請求項８】
各々の前記回転ユニットはボルトをさらに備え、前記回転アームには回転孔が設けられており、前記回転台座は溝を有し、前記溝の両側には２つの貫通孔が対称的に設けられており、前記回転アームが隣接する前記回転ユニットの支持台座の回転台座にスリーブされると、前記回転アームの一部は隣接する前記回転ユニットの回転台座の溝に収容され、前記ボルトは前記貫通孔及び前記回転孔を貫くことを特徴とする請求項７に記載のフレキシブルデバイス。
【請求項９】
各々の前記回転ユニットは、基板及び２つの前記支持台座を備え、２つの前記支持台座は前記基板の対向する両側に設置されることを特徴とする請求項８に記載のフレキシブルデバイス。
【請求項１０】
前記回転孔は、円形、楕円形又は複数の角を有する多角形の形状を有し、前記ボルトは前記回転孔内でスライド可能であり、前記回転ユニットが隣接する前記回転ユニットに回転可能に接続されると、前記回転台座の外縁は隣接する前記回転ユニットの回転台座の外縁に当接し、前記回転アームの一端は隣接する前記回転ユニットの回転台座の溝の内壁に当接することを特徴とする請求項８に記載のフレキシブルデバイス。
【請求項１１】
前記回転台座における前記基板から離れている一端は丸みを帯びており、前記回転アームにおける隣接する前記回転台座の溝の内壁に当接する一端は丸みを帯びていることを特徴とする請求項１０に記載のフレキシブルデバイス。
【請求項１２】
前記フレキシブルデバイスは、弾性シートをさらに備え、前記回転ユニット、前記接続部材及び前記移動部材は、前記弾性シートの一方の側に位置することを特徴とする請求項１１に記載のフレキシブルデバイス。
【請求項１３】
前記機能部品はフレキシブルタッチスクリーンであり、フレキシブルタッチスクリーンは弾性シートの他方の側に位置することを特徴とする請求項１２に記載のフレキシブルデバイス。
【請求項１４】
前記フレキシブルデバイスはフレキシブルハウジングをさらに備え、前記フレキシブルハウジングは中空室及びカバープレートを備え、前記カバープレートは透明領域を有し、前記機能部品及び前記変形サポートアセンブリは前記フレキシブルハウジングの中空室に収容され、前記フレキシブルタッチスクリーンは前記カバープレートの前記透明領域に正対していることを特徴とする請求項１３に記載のフレキシブルデバイス。
【請求項１５】
前記フレキシブルデバイスは、前記フレキシブルハウジングの中空室内に収容される電子部品をさらに備えることを特徴とする請求項１４に記載のフレキシブルデバイス。
【請求項１６】
前記電子部品は、バッテリ、マイクロフォン、回路基板及びラウドスピーカーを備え、前記バッテリ、前記マイクロフォン、前記回路基板及び前記ラウドスピーカーは前記移動部材の一方の側に設置されることを特徴とする請求項１５に記載のフレキシブルデバイス。
【発明の詳細な説明】
【技術分野】
【０００１】
本発明は、フレキシブルデバイスに関するものであり、特にフレキシブルウェアラブルデバイスに関するものである。
【背景技術】
【０００２】
人々の健康に対する関心が次第に大きくなるにつれて、さらに多くのウェアラブルスマートデバイスが設計されており、例えば、スマートウォッチ、スマートブレスレット、スマートランニングシューズ、スマート衣類、スマートバックパックなどである。人々はスマートデバイスに統合された様々なセンサーを利用して人体のデータを監視することにより、健康を維持する目的を達成する。
【０００３】
スマートブレスレットは、小型化、軽量化であるので、ウェアラブルスマートデバイスの中で最も人気のある製品の一つである。しかし、既存のスマートブレスレットの形状は基本的に固定されており、より多くの場合の応用需要を満たすことができない。
【発明の概要】
【０００４】
本発明は、異なる場合の応用需要を満たすことができるフレキシブルデバイスを提供する。
【０００５】
フレキシブルデバイスであって、機能部品及び変形サポートアセンブリを備え、機能部品は変形サポートアセンブリの外側に設置されており、変形サポートアセンブリの内側は、フレキシブルデバイスが湾曲変形した時に外部装置に装着するために用いられる。
【０００６】
変形サポートアセンブリは複数の回転ユニットを備え、隣接する回転ユニットは順次に回転可能に接続される。
【０００７】
変形サポートアセンブリは少なくとも１つの接続部材をさらに備え、接続部材は２つの回転ユニットの間に回転可能に接続されており、変形サポートアセンブリの外側では、接続部材の表面積はいずれか１つの回転ユニットの表面積よりも大きい。
【０００８】
変形サポートアセンブリは２つの移動部材をさらに備え、２つの移動部材は、複数の回転ユニットの先端部及び終端部に回転可能に接続されており、変形サポートアセンブリの外側では、移動部材の表面積はいずれか１つの回転ユニットの表面積よりも大きい。
【０００９】
変形サポートアセンブリは複数のダンピングフィンをさらに備え、各ダンピングフィンは、回転ユニットと接続部材との間及び／又は回転ユニットと少なくとも１つの移動部材との間に挟まれて、フレキシブルデバイスが湾曲変形するときに位置決めるために用いられる。
【００１０】
ダンピングフィンは、隣接する回転ユニットの回転アームと回転台座の溝との間に挟まれる。
【００１１】
各々の回転ユニットは、基板と、基板から外側に延在される支持台座と、を備え、支持台座は回転アーム及び回転台座を備え、回転アームは隣接する回転ユニットの支持台座の回転台座にスリーブされる。
【００１２】
各々の回転ユニットはボルトをさらに備え、回転アームには回転孔が設けられており、回転台座は溝を有し、溝の両側には２つの貫通孔が対称的に設けられており、回転アームが隣接する回転ユニットの支持台座の回転台座にスリーブされると、回転アームの一部は隣接する回転ユニットの回転台座の溝に収容され、ボルトは貫通孔及び回転孔を貫く。
【００１３】
各々の回転ユニットは、基板及び２つの支持台座を備え、２つの支持台座は基板の対向する両側に設置される。
【００１４】
回転孔は、円形、楕円形又は複数の角を有する多角形の形状を有し、ボルトは回転孔内でスライド可能であり、回転ユニットが隣接する回転ユニットに回転可能に接続されると、回転台座の外縁は隣接する回転ユニットの回転台座の外縁に当接し、回転アームの一端は隣接する回転ユニットの回転台座の溝の内壁に当接する。
【００１５】
回転台座における基板から離れている一端は丸みを帯びており、回転アームにおける隣接する回転台座の溝の内壁に当接する一端は丸みを帯びている。
【００１６】
フレキシブルデバイスは、弾性シートをさらに備え、回転ユニット、接続部材及び移動部材は、弾性シートの一方の側に位置する。
【００１７】
機能部品はフレキシブルタッチスクリーンであり、フレキシブルタッチスクリーンは弾性シートの他方の側に位置する。
【００１８】
フレキシブルデバイスはフレキシブルハウジングをさらに備え、フレキシブルハウジングは中空室及びカバープレートを備え、カバープレートは透明領域を有し、機能部品及び変形サポートアセンブリはフレキシブルハウジングの中空室に収容され、フレキシブルタッチスクリーンは透明領域に正対している。
【００１９】
フレキシブルデバイスは、フレキシブルハウジングの中空室内に収容される電子部品をさらに備える。
【００２０】
電子部品は、バッテリ、マイクロフォン、回路基板及びラウドスピーカーを備え、バッテリ、マイクロフォン、回路基板及びラウドスピーカーは移動部材の一方の側に設置される。
【００２１】
フレキシブルデバイスは、変形可能な可撓性構成要素を使用することにより、可撓性構成要素に連動されて変形し、従ってフレキシブル装置は異なる形状を有し、異なる場合の応用需要を満たすことができる。
【図面の簡単な説明】
【００２２】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の明らかな変形方法を得ることができる。
【図１】図１は、本発明の第一実施形態に係わるフレキシブルデバイスの構造を示す図である。
【図２】図２は、図１に示されたフレキシブルデバイスの変形サポートアセンブリの構造を示す図である。
【図３】図３は、図１に示された変形サポートアセンブリの回転ユニットの部分分解図である。
【図４】図４は、図1及び図２に示された変形サポートアセンブリの１つの回転ユニットの構造を示す図である。
【図５】図５は、図２に示された変形サポートアセンブリの回転ユニットの局部構造を示す図である。
【図６】図６は、変形サポートアセンブリが水平展開状態にある時の回転ユニット及び接続部材の部分断面図である。
【図７】図７は、本発明の実施形態に係わるフレキシブルデバイスの構造を示す第二図である。
【発明を実施するための形態】
【００２３】
以下、本発明の実施形態の添付の図面を参照しながら、本発明の実施形態の技術的方案を明確且つ完全に説明する。
【００２４】
図１〜図２を参照すると、本発明の実施形態に係るフレキシブルデバイスが示されている。フレキシブルデバイスは、機能部品２０及び変形サポートアセンブリ１０を備える。機能部品２０は、変形サポートアセンブリ１０の外側に設置されている。変形サポートアセンブリ１０の内側は、フレキシブルデバイスが湾曲変形した時に外部装置に装着するために用いられる。
【００２５】
機能部品２０は、ユーザーが使用するフレキシブルデバイスの実際の応用又は機能によって決定される。フレキシブルデバイスが情報を表示するために用いられる場合、機能部品２０は表示機能を有する部品である。フレキシブルデバイスが無線通信するために用いられる場合、機能部品２０は、集音、再生、無線通信の機能を有する部品である。フレキシブルデバイスがデータを検出するために用いられる場合、機能部品２０は一種以上のセンサーを含む部品である。フレキシブルデバイスが音楽を再生するために用いられる場合、機能部品２０は、音声復号チップ及びプレーヤを含む部品である。機能部品２０は、ユーザが使用するフレキシブルデバイスの１つの実際の応用又は機能によって決定することができ、又はユーザが使用するフレキシブルデバイスの１つの実際の応用又は機能によって決定することもでき、例えば、フレキシブルデバイスは、情報を表示するために用いられることができ、さらに同時に無線通信、音楽再生、データを検出するために用いられることもできる。機能部品２０は１つ又は複数の機能部品２０の集合体に対応する。
【００２６】
変形サポートアセンブリ１０は、湾曲変形機能を有する。本実施形態において、発生する変形は、水平展開状態から湾曲状態になることである。水平展開状態にある場合、フレキシブルデバイス全体は展開されて、ユーザーがフレキシブルデバイスの機能を便利に使用し、マンマシン操作を便利に実行することにする。湾曲状態にある場合、フレキシブルデバイス全体は湾曲されてウェアラブルデバイスを形成し、従ってユーザーが身体に便利に装着することができる。もちろん、より多くの場合の応用需要を満たすために、フレキシブルデバイスの変形の形状は必要に応じて変えることができる。例えば、アーチ型から円形に切り替えるか、平面型から波型に切り替えるか、Ｕ字型からＳ字型に切り替えることなどである。
【００２７】
変形サポートアセンブリ１０が水平展開状態にある場合、変形サポートアセンブリ１０の外側面は平坦面である。変形サポートアセンブリ１０が水平展開状態から湾曲状態になる場合、変形サポートアセンブリ１０の外側面は円弧面になる。変形サポートアセンブリ１０の内側面は湾曲方向に向かって集まる。集められた内側面は収容空間を形成する。変形サポートアセンブリ１０の両端は互いに協働してクランプ機能を発揮する。収容空間を利用してフレキシブルデバイスを外部装置に装着するか又は貼り合せることができ、例えば、フレキシブルデバイスをユーザーの手首に装着して、フレキシブルデバイスをユーザーの身に装着させることができる。変形サポートアセンブリ１０が平面展開状態にある場合、フレキシブルデバイスをユーザーの手首から取り外すことができる。変形サポートアセンブリ１０が湾曲されて両端が互いに接触して接続されるとき、フレキシブルデバイスは閉じたリングを形成する。
【００２８】
具体的には、図２を参照すると、変形サポートアセンブリ１０は、複数の回転ユニット１００を備える。隣接する回転ユニット１００は順次に回転可能に接続され、複数の回転ユニット１００は互いに選択的に接続されて、変形サポートアセンブリ１０の湾曲変形機能を提供する。
【００２９】
本実施形態において、変形サポートアセンブリ１０は１つの接続部材２００をさらに備える。接続部材２００は、２つの回転ユニット１００の間に回転可能に接続されている。変形サポートアセンブリ１０の外側では、接続部材２００の表面積はいずれか１つの回転ユニット１００の表面積よりも大きい。他の実施形態において、変形サポートアセンブリ１０は、接続部材２００を備えないか、又は複数の接続部材２００を備えることができる。接続部材２００を備えない場合、変形サポートアセンブリ１０の変形面は全て回転ユニット１００によって確定され、フレキシブルデバイスの変形状態は調節可能である。また、より大きい展開平面を有する接続部材２００を設置すると、機能部品２０を変形サポートアセンブリ１０の外側に配置し易くなり、ユーザーの操作及び使用が便利になる。
【００３０】
変形サポートアセンブリ１０は２つの移動部材３００をさらに備える。２つの移動部材３００は、複数の回転ユニット１００の先端部及び終端部に回転可能に接続される。変形サポートアセンブリ１０の外側では、移動部材３００の表面積はいずれか１つの回転ユニット１００の表面積よりも大きい。移動部材３００を設置すると、フレキシブルデバイスを平面展開状態から湾曲状態に変換するか、又は湾曲状態から平面展開状態に変換することに有利である。さらに、移動部材３００は変形サポートアセンブリ１０の両端に設置され、移動部材３００の表面積はいずれか１つの回転ユニット１００の表面積よりも大きいので、フレキシブルデバイスが外部装置に装着されるときに脱落することを防止する。  
【００３１】
図３に示されたように、変形サポートアセンブリ１０は、複数のダンピングフィン（ｄａｍｐｉｎｇ  ｆｉｎ）４００を備える。ダンピングフィン４００は、回転ユニット１００の間に挟まれて、隣接する回転ユニット１００の回転位置を位置決めるために用いられる。ダンピングフィン４００は、回転ユニット１００が回転するときに回転ユニット１００を位置決め、且つ湾曲されたときに湾曲状態を維持するために用いられる。
【００３２】
接続部材２００及び移動部材３００を有し、且つ接続部材２００及び移動部材３００は全て回転ユニット１００に回転可能に接続されているので、ダンピングフィン４００は、回転ユニット１００と接続部材２００との間及び回転ユニット１００と移動部材３００との間に挟まれることができ、フレキシブルデバイスが湾曲変形するときに位置決めるために用いられる。ダンピングフィン４００を設置し且つダンピングフィン４００の材質及び数量を制御することにより、フレキシブルデバイスの湾曲強度を制御することができる。フレキシブルデバイスが曲がり易い場合、対応してフレキシブルデバイスは湾曲形態を保持し難い。フレキシブルデバイスが曲がり難く、ユーザーが大きな力でそれを曲げることを必要とする場合、フレキシブルデバイスは湾曲されてから湾曲状態を維持し易い。ダンピングフィン４００を設置することにより、ユーザーは実際の使用場所によってフレキシブルデバイスの湾曲強度を便利に制御することができる。
【００３３】
図４及び図５を同時に参照すると、本実施形態において、各回転ユニット１００は、基板１２０と、基板１２０から外側に延在される支持台座１４０と、を備える。支持台座１４０は、回転アーム１４４及び回転台座１４２を備える。回転アーム１４４は、隣接する回転ユニット１００の支持台座１４０の回転台座１４２にスリーブされる。各支持台座１４０の回転台座１４２の外縁は、隣接する支持台座１４０に当接する。各回転ユニット１００の基板は互いに接続されて接続面を形成する。各回転ユニット１００の支持台座１４０は一列に配列される。回転アーム１４４が別の回転ユニット１００の支持台座１４０の回転台座１４２にスリーブされてから、あらゆる回転ユニット１００の支持台座１４０の回転アーム１４４及び回転台座１４２は直列に接続されて直線を形成する。
【００３４】
本実施形態において、各回転ユニット１００は、基板１２０から垂直に上へ延在されて基板１２０に垂直に接続される２つの支持台座１４０を備える。２つの支持台座１４０は、基板１２０の上に対称的に設置される。各支持台座１４０は、別々に回転アーム１４４及び回転台座１４２を備える。各回転ユニット１００の２つの支持台座１４０は一列に配列される。回転アーム１４４が別の回転ユニット１００の支持台座１４０の回転台座１４２にスリーブされてから、あらゆる回転ユニット１００の２つの支持台座１４０の回転アーム１４４及び回転台座１４２は直列に接続されて直線を形成する。２つの支持台座１４０を設置すると、回転ユニット１００が回転可能に接続されるときの接続強度及び安定性を高めることに有利である。
【００３５】
具体的には、図３を参照すると、各回転ユニット１００はボルト５００をさらに備える。回転アーム１４４には回転孔１４８が設けられている。回転台座１４２は溝を有し、溝の両側には２つの貫通孔１４６が対称的に設けられる。回転アーム１４４が隣接する回転ユニット１００の支持台座１４０の回転台座１４２にスリーブされると、回転アーム１４４の一部は隣接する回転ユニットの回転台座の溝に収容され、ボルト５００は貫通孔１４６及び回転孔１４８を貫く。ダンピングフィン４００は、隣接する回転ユニット１００の回転アーム１４４と回転台座１４２の溝との間に挟まれる。ダンピングフィン４００を設置すると、ユーザーは実際の使用場所によってフレキシブルデバイスの湾曲強度を便利に制御することができる。
【００３６】
回転孔１４８は、円形、楕円形又は複数の角を有する多角形の形状を有する。図３、図４及び図６を参照すると、本実施形態において、回転孔１４８は楕円形である。ボルト５００は回転孔１４８内でスライド可能である。回転ユニット１００が隣接する回転ユニットに回転可能に接続されると、回転台座１４２の外縁は隣接する回転ユニット１００の回転台座１４２の外縁に当接し、回転アーム１４４の一端は隣接する回転ユニット１００の回転台座１４２の溝の内壁に当接する。回転台座１４２における基板１２０から離れている一端は丸みを帯びており、回転アーム１４４における隣接する回転台座１４２の溝の内壁に当接する一端は丸みを帯びている。回転孔１４８が楕円形である場合、回転ユニット１００の回転アーム１４４が回転台座１４２の中で回転するときに移動空間を有するので、回転アーム１４４は回転しながら回転空間内で傾斜方向に沿って移動することができ、従ってフレキシブルデバイスは湾曲変形を実現する。回転台座１４２の外縁は丸みを帯びているので、フレキシブルデバイスが湾曲変形する時に順応性がさらに高い。
【００３７】
斜めに形成された回転孔１４８は異なる長さを有し、丸みを帯びている回転台座１４２の外縁は異なる曲率を有するので、２つの回転ユニット１００の回転角度範囲を制御することができる。本実施形態において、２つの回転ユニット１００の間の回転角度は、１度以上且つ５度以下に制限されている。
【００３８】
接続部材２００及び移動部材３００にも回転ユニット１００の回動アーム１４４及び回動台座１４２に回動可能に接続される対応する回転構造が設置されている。本実施形態において、接続部材２００及び移動部材３００の回転構造は、回転ユニット１００の回転アーム１４４及び回転台座１４２と同じである。接続部材２００及び移動部材３００の回転構造が１つの回転アームを含む場合、回転構造が複数の回転ユニット１００に回転可能に接続された後、先端部又は終端部の回転ユニット１００の回転台座１４２に回転可能に接続される。接続部材２００及び移動部材３００の回転構造が１つの回転台座を含む場合、回転構造が複数の回転ユニット１００に回転可能に接続された後、先端部又は終端部の回転ユニット１００の回転アームに回転可能に接続される。接続部材２００及び移動部材３００の回転構造と回転ユニット１００の回転アーム１４４及び回転台座１４２もダンピングフィン４００が設置されている。
【００３９】
図７を参照すると、変形サポートアセンブリ１０は、弾性シート５０をさらに備える。複数の回転ユニット１００、接続部材２００及び移動部材３００は、弾性シート５０の一方の側に位置する。弾性シート５０を設置すると、変形サポートアセンブリ１０の強度を高めることができ、変形サポートアセンブリ１０の湾曲強度を制御することができ、機能部品２０の装着及び配置にも有利である。
【００４０】
本実施形態において、機能部品２０はフレキシブルタッチスクリーンであり、フレキシブルスクリーンは弾性シート５０の他方の側に位置する。なお、機能部品はフレキシブルタッチスクリーンに限定されるものではなく、異なる需要によって他の種類の機能部品を備えることができ、例えば、指示スクリーン、機能センサー、スピーカー、マイクロフォンなどのような他の種類の機能部品２０を備えることができる。他の種類の機能部品２０／指示スクリーンは、支持プレート３４の上面に固定されることができる電子インクスクリーン、ＬＥＤライトパネルなどのようないろいろな面積を有する硬質機能部品２０であることができる。機能センサーは、体温センサー、温度センサー、速度センサー、重力センサー、高さセンサー、角速度センサー、加速度センサー、気圧センサー、心拍センサー、脈拍センサー、汗センサー、光センサー、ＥＭＧセンサーなどを含むことができ、異なる使用目的に基づいてフレキシブルデバイスの様々な位置に設置することができる。
【００４１】
図８を参照すると、フレキシブルデバイスは、フレキシブルハウジング３０をさらに備える。フレキシブルハウジング３０は、中空室３２及びカバープレート３４を備える。カバープレート３４は、透明領域を有する。機能部品２０及び変形サポートアセンブリ１０は、フレキシブルハウジング３０の中空室に収容される。フレキシブルタッチスクリーン２０は、透明領域に正対している。フレキシブルデバイスは、フレキシブルハウジング３０の中空室内に収容される電子部品４０をさらに備える。電子部品４０は、バッテリ、マイクロフォン、回路基板及びラウドスピーカーを備える。バッテリ、マイクロフォン、回路基板及びラウドスピーカーは移動部材３００の一方の側に設置される。
【００４２】
電子部品４０は、バッテリ、マイクロフォン、回路基板及びラウドスピーカーを備え、バッテリなどの電子部品４０は全て曲げに耐えないため、これらの電子部品４０を保護するために、バッテリ、マイクロフォン、回路基板及びラウドスピーカーを移動部材３００の一方の側に設置することにより、フレキシブルデバイスの内部空間を効果的に省略することができ、フレキシブルデバイスの薄型化と軽量化を実現することができる。
【００４３】
最後に、上述した実施形態は、ただ本願の技術的方案を説明するために用いられ、本願の範囲を限定するものではないと指摘すべきである。上述した実施形態を参照して本願を詳細に説明したが、当業者であれば、本願の保護範囲はこれに限定されなく、本願に開示された技術範囲内で当業者が容易に考えることができる変更又は切替は、全て本願の保護範囲に属するものであると理解されるべきである。だから、本願の保護範囲は特許請求の範囲に基づくべきである。
【図１】
2020507795.tif 000003
【図２】
2020507795.tif 000004
【図３】
2020507795.tif 000005
【図４】
2020507795.tif 000006
【図５】
2020507795.tif 000007
【図６】
2020507795.tif 000008
【図７】
2020507795.tif 000009
【手続補正書】
【提出日】令和1年6月5日(2019.6.5)
【手続補正１】
【補正対象書類名】明細書
【補正対象項目名】００２２
【補正方法】変更
【補正の内容】
【００２２】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の明らかな変形方法を得ることができる。
【図１】図１は、本発明の第一実施形態に係わるフレキシブルデバイスの構造を示す図である。
【図２】図２は、図１に示されたフレキシブルデバイスの変形サポートアセンブリの構造を示す図である。
【図３】図３は、図１に示された変形サポートアセンブリの２つの回転ユニットの部分分解図である。
【図４】図４は、図1及び図２に示された変形サポートアセンブリの１つの回転ユニットの構造を示す図である。
【図５】図５は、図２に示された変形サポートアセンブリの回転ユニットの局部構造を示す図である。
【図６】図６は、変形サポートアセンブリが水平展開状態にある時の回転ユニット及び接続部材の部分断面図である。
【図７】図７は、本発明の第二実施形態に係わるフレキシブルデバイスの構造を示す図である。
【手続補正２】
【補正対象書類名】明細書
【補正対象項目名】００２５
【補正方法】変更
【補正の内容】
【００２５】
機能部品２０は、ユーザーが使用するフレキシブルデバイスの実際の応用又は機能によって決定される。フレキシブルデバイスが情報を表示するために用いられる場合、機能部品２０は表示機能を有する部品である。フレキシブルデバイスが無線通信するために用いられる場合、機能部品２０は、集音、再生、無線通信の機能を有する部品である。フレキシブルデバイスがデータを検出するために用いられる場合、機能部品２０は一種以上のセンサーを含む部品である。フレキシブルデバイスが音楽を再生するために用いられる場合、機能部品２０は、音声復号チップ及びプレーヤを含む部品である。機能部品２０は、ユーザが使用するフレキシブルデバイスの少なくとも１つの実際の応用又は少なくとも１つの機能によって決定することができ、例えば、フレキシブルデバイスは、情報を表示するために用いられることができ、さらに同時に無線通信、音楽再生、データを検出するために用いられることもできる。機能部品２０は１つ又は複数の機能部品２０の集合体に対応する。
【手続補正３】
【補正対象書類名】明細書
【補正対象項目名】００２６
【補正方法】変更
【補正の内容】
【００２６】
変形サポートアセンブリ１０は、湾曲変形機能を有する。本実施形態において、発生する変形は、水平展開状態から湾曲状態になることである。水平展開状態にある場合、フレキシブルデバイス全体は展開されて、ユーザーがフレキシブルデバイスの機能を便利に使用し、マンマシン操作を便利に実行することにする。湾曲状態にある場合、フレキシブルデバイス全体は湾曲されてウェアラブルデバイスを形成し、従ってユーザーがフレキシブルデバイスを身体に便利に装着することができる。もちろん、より多くの場合の応用需要を満たすために、フレキシブルデバイスの変形の形状は必要に応じて変えることができる。例えば、アーチ型から円形に切り替えるか、平面型から波型に切り替えるか、Ｕ字型からＳ字型に切り替えることなどである。
【手続補正４】
【補正対象書類名】明細書
【補正対象項目名】００３１
【補正方法】変更
【補正の内容】
【００３１】
図３に示されたように、変形サポートアセンブリ１０は、複数のダンピングフィン（ｄａｍｐｉｎｇ  ｆｉｎ）４００を備える。ダンピングフィン４００は、隣接する回転ユニット１００の間に挟まれて、隣接する回転ユニット１００の回転位置を位置決めるために用いられる。ダンピングフィン４００は、回転ユニット１００が回転するときに回転ユニット１００を位置決め、且つ変形サポートアセンブリ１０が湾曲されたときに湾曲状態を維持するために用いられる。
【手続補正５】
【補正対象書類名】明細書
【補正対象項目名】００３３
【補正方法】変更
【補正の内容】
【００３３】
図４及び図５を同時に参照すると、本実施形態において、各回転ユニット１００は、基板１２０と、基板１２０から外側に延在される支持台座１４０と、を備える。支持台座１４０は、回転アーム１４４及び回転台座１４２を備える。回転アーム１４４は、隣接する回転ユニット１００の支持台座１４０の回転台座１４２にスリーブされる。各支持台座１４０の回転台座１４２の外縁は、隣接する支持台座１４０に当接する。各回転ユニット１００の基板１２０は互いに接続されて接続面を形成する。各回転ユニット１００の支持台座１４０は一列に配列される。回転アーム１４４が別の回転ユニット１００の支持台座１４０の回転台座１４２にスリーブされてから、あらゆる回転ユニット１００の支持台座１４０の回転アーム１４４及び回転台座１４２は直列に接続されて直線を形成する。
【手続補正６】
【補正対象書類名】明細書
【補正対象項目名】００３５
【補正方法】変更
【補正の内容】
【００３５】
具体的には、図３を参照すると、各回転ユニット１００はボルト５００をさらに備える。回転アーム１４４には回転孔１４８が設けられている。回転台座１４２は溝を有し、溝の両側には２つの貫通孔１４６が対称的に設けられる。回転アーム１４４が隣接する回転ユニット１００の支持台座１４０の回転台座１４２にスリーブされると、回転アーム１４４の一部は隣接する回転ユニット１００の回転台座１４２の溝に収容され、ボルト５００は貫通孔１４６及び回転孔１４８を貫く。ダンピングフィン４００は、隣接する回転ユニット１００の回転アーム１４４と回転台座１４２の溝との間に挟まれる。ダンピングフィン４００を設置すると、ユーザーは実際の使用場所によってフレキシブルデバイスの湾曲強度を便利に制御することができる。
【手続補正７】
【補正対象書類名】明細書
【補正対象項目名】００３６
【補正方法】変更
【補正の内容】
【００３６】
回転孔１４８は、円形、楕円形又は複数の角を有する多角形の形状を有する。図３、図４及び図６を参照すると、本実施形態において、回転孔１４８は楕円形である。回転孔１４８の回転台座１４２から離れている一端は、回転台座１４２に近い他端より垂直方向で基板１２０に近く、即ち回転孔１４８は傾斜している。ボルト５００は回転孔１４８内でスライド可能である。回転ユニット１００が隣接する回転ユニット１００に回転可能に接続されると、回転台座１４２の外縁は隣接する回転ユニット１００の回転台座１４２の外縁に当接し、回転アーム１４４の一端は隣接する回転ユニット１００の回転台座１４２の溝の内壁に当接する。回転台座１４２における基板１２０から離れている一端は丸みを帯びており、回転アーム１４４における隣接する回転台座１４２の溝の内壁に当接する一端は丸みを帯びている。回転孔１４８が楕円形である場合、回転ユニット１００の回転アーム１４４が回転台座１４２の中で回転するときに移動空間を有するので、回転アーム１４４は回転しながら回転空間内で傾斜方向に沿って移動することができ、従ってフレキシブルデバイスは湾曲変形を実現する。具体的には、一実施形態では、フレキシブルデバイスが平面展開状態にあるとき、ボルト５００は回転孔１４８の回転台座１４２に近い一端に位置し、フレキシブルデバイスが湾曲状態にあるとき、ボルト５００は回転孔１４８の回転台座１４２から離れた他端に位置する。回転台座１４２の外縁は丸みを帯びているので、フレキシブルデバイスが湾曲変形する時に順応性がさらに高い。
【手続補正８】
【補正対象書類名】明細書
【補正対象項目名】００３７
【補正方法】変更
【補正の内容】
【００３７】
斜めに形成された回転孔１４８は異なる長さを有し、丸みを帯びている回転台座１４２の外縁は異なる曲率を有するので、隣接する２つの回転ユニット１００の回転角度範囲を制御することができる。本実施形態において、隣接する２つの回転ユニット１００の間の回転角度は、１度以上且つ５度以下に制限されている。
【手続補正９】
【補正対象書類名】明細書
【補正対象項目名】００３８
【補正方法】変更
【補正の内容】
【００３８】
接続部材２００及び移動部材３００にも回転ユニット１００の回動アーム１４４及び回動台座１４２に回動可能に接続される対応する回転構造が設置されている。本実施形態において、接続部材２００及び移動部材３００の回転構造は、回転ユニット１００の回転アーム１４４及び回転台座１４２と同じである。接続部材２００及び移動部材３００の回転構造が回転アームを含む場合、接続部材２００の回転構造が複数の回転ユニット１００の回転台座１４２に回転可能に接続された後、移動部材３００の回転構造は先端部又は終端部の回転ユニット１００の回転台座１４２に回転可能に接続される。接続部材２００及び移動部材３００の回転構造が回転台座を含む場合、接続部材２００の回転構造が複数の回転ユニット１００の回転アームに回転可能に接続された後、移動部材３００の回転構造は先端部又は終端部の回転ユニット１００の回転アームに回転可能に接続される。接続部材２００及び移動部材３００の回転構造と回転ユニット１００の回転アーム１４４及び回転台座１４２との間にもダンピングフィン４００が設置されている。
【手続補正１０】
【補正対象書類名】明細書
【補正対象項目名】００３９
【補正方法】変更
【補正の内容】
【００３９】
図７を参照すると、フレキシブルデバイスは、弾性シート５０をさらに備える。複数の回転ユニット１００、接続部材２００及び移動部材３００は、弾性シート５０の一方の側に位置する。弾性シート５０を設置すると、変形サポートアセンブリ１０の強度を高めることができ、変形サポートアセンブリ１０の湾曲強度を制御することができ、機能部品２０の装着及び配置にも有利である。
【手続補正１１】
【補正対象書類名】明細書
【補正対象項目名】００４０
【補正方法】変更
【補正の内容】
【００４０】
本実施形態において、機能部品２０はフレキシブルタッチスクリーンであり、フレキシブルタッチスクリーンは弾性シート５０の他方の側に位置する。なお、機能部品はフレキシブルタッチスクリーンに限定されるものではなく、異なる需要によって他の種類の機能部品を備えることができ、例えば、指示スクリーン、機能センサー、スピーカー、マイクロフォンなどのような他の種類の機能部品２０を備えることができる。他の種類の機能部品２０において、指示スクリーンは、支持プレート３４の上面に固定されることができる電子インクスクリーン、ＬＥＤライトパネルなどのようないろいろな面積を有する硬質機能部品２０であることができる。機能センサーは、体温センサー、温度センサー、速度センサー、重力センサー、高さセンサー、角速度センサー、加速度センサー、気圧センサー、心拍センサー、脈拍センサー、汗センサー、光センサー、ＥＭＧセンサーなどを含むことができ、異なる使用目的に基づいてフレキシブルデバイスの様々な位置に設置することができる。
【手続補正１２】
【補正対象書類名】明細書
【補正対象項目名】００４１
【補正方法】変更
【補正の内容】
【００４１】
図７を参照すると、フレキシブルデバイスは、フレキシブルハウジング３０をさらに備える。フレキシブルハウジング３０は、中空室３２及びカバープレート３４を備える。カバープレート３４は、透明領域を有する。機能部品２０及び変形サポートアセンブリ１０は、フレキシブルハウジング３０の中空室３２に収容される。フレキシブルタッチスクリーン２０は、透明領域に正対している。フレキシブルデバイスは、フレキシブルハウジング３０の中空室３２内に収容される電子部品４０をさらに備える。電子部品４０は、バッテリ、マイクロフォン、回路基板及びラウドスピーカーを備える。バッテリ、マイクロフォン、回路基板及びラウドスピーカーは移動部材３００の一方の側に設置される。  
【国際調査報告】
2020507795.tif 000010
2020507795.tif 000011
2020507795.tif 000012
2020507795.tif 000013